(57)【要約】【課題】従来、撮像装置の冷却には自然空冷を利用した物、（例えば、特許文献１参照）や強制空冷を利用した物など、様々な冷却手法が用いられている。しかしながらより低ノイズの画を撮影するため、撮像素子を冷却するために、撮像装置外観に冷却された保冷材を当てて冷却をすることがある。しかしながら、上記従来例では冷却された保冷材を使用して撮像装置を効率的に冷却するための配慮がされていないという課題があった。【解決手段】センサーがヒートシンク兼ダクトを介して冷却された保冷材を配置可能な上部シンクと下部シンクに  熱的に接続された状態において  上部シンクは第一の開口を有し、下部シンクは第二の開口を有し、第一の開口は前記ヒートシンク兼ダクト内部空間を経由して第二の開口に接続する  ことを特徴としている。【選択図】  図５
2019062488.tif 000002
【特許請求の範囲】
【請求項１】
熱源がヒートシンク兼ダクトを介して
上部シンクと下部シンクに  熱的に接続された撮像装置において、
上部シンクは、冷却された保冷材が配置可能であり、
上部シンクは第一の開口を有し、  
下部シンクは第二の開口を有し、  
第一の開口は前記ヒートシンク兼ダクト内部空間を経由して第二の開口に接続することを特徴とする撮像装置。
【請求項２】
上部シンクと下部シンクはチーズプレートに覆われるように配置することを特徴とする請求項１に記載の撮像装置。
【請求項３】
前記上部シンクの底面は第一の開口に向かって下り斜面となることを特徴とする請求項第１または２に記載の撮像装置。
【請求項４】
前記ヒートシンク兼ダクトはクランク部を有し、前記クランク部近傍に吸水部材を配置することを特徴とする請求項第１乃至３のいずれか１項に記載の撮像装置。
【請求項５】
前記チーズプレートは複数貫通した穴を有することを特徴とする請求項２に記載の撮像装置。
【請求項６】
前記チーズプレートと前記上部シンク底面は空隙を持って配置されることを特徴とする請求項２乃至５のいずれか１項に記載の撮像装置。
【発明の詳細な説明】
【技術分野】
【０００１】
本発明は撮像装置の冷却に関するものである。
【背景技術】
【０００２】
従来、撮像装置の冷却には自然空冷を利用した物、（例えば、特許文献１参照）や強制空冷を利用した物など、様々な冷却手法が用いられている。しかしながら、より低ノイズの画を撮影するため、センサー（熱源）を冷却するために、撮像装置外観に冷却された保冷材を当てて冷却をすることがある。
【先行技術文献】
【特許文献】
【０００３】
【特許文献１】特許第５４８７８９７号
【発明の概要】
【発明が解決しようとする課題】
【０００４】
しかしながら、上記従来例では冷却された保冷材を使用して撮像装置を高効率に冷却するための配慮がされていないという課題があった。
【課題を解決するための手段】
【０００５】
本発明は、熱源がヒートシンク兼ダクトを介して冷却された保冷材が配置可能な上部シンクと下部シンクに  熱的に接続された撮像装置において、上部シンクは第一の開口を有し、下部シンクは第二の開口を有し、第一の開口は前記ヒートシンク兼ダクト内部空間を経由して第二の開口に接続することを特徴とする撮像装置ことを特徴としている。
【発明の効果】
【０００６】
以上説明したように、本発明によれば、冷却された保冷材による一時冷却のみならず、冷却された保冷材から発生した結露水を熱源近傍まで導き二次的に冷却することが可能になり、高効率な冷却システムを提供可能となる。
【図面の簡単な説明】
【０００７】
【図１】本実施例で用いた撮像装置１０１を示す図
【図２】上部シンクとチーズプレート１０１２の関係、及び、上部シンク１０２１の構造について説明する図
【図３】下部シンク１３３とチーズプレート１０３１の関係、及び、下部シンク１０３３の構造について説明する図
【図４】吸水口１０２２と前記排水口１０３４とを接続するヒートシンク兼ダクトとセンサーとの関係を示している分解斜視図
【図５】図５はチーズプレート１０１２を取り外し、冷却された保冷材１０５１を上部シンク１０２１上に配置した状態の撮像装置１０１をレンズマウント１０１１の中心かつチーズプレート１０１２に対して垂直な面で切った断面図
【図６】撮像装置１０１をレンズマウント１０１１の中心かつチーズプレート１０１２に対して垂直な面で切った断面図
【発明を実施するための形態】
【０００８】
＜第１の実施形態＞
＊全体説明
図１は本実施例で用いた撮像装置１０１を表している。撮像装置１０１はレンズを取り付け可能なレンズマウント１０１１、アクセサリーを取り付け可能なチーズプレート１０１２、撮影した映像の再生やカメラのセッティング状態を確認する表示部１０１３、撮像装置１０１に信号を入力する外部操作部材１０１４、記録した情報を保存する記憶媒体を収納する記憶媒体蓋１０１５などを有する。
【０００９】
＊上部シンクの説明
図２は上部シンクとチーズプレート１０１２の関係、及び、上部シンク１０２１の構造について説明する図である。上部シンク１０２１はチーズプレート１０１２に覆われるように配置されており、本体１０２３に対してビス１０２４で固定される。上部シンク１０２１は図に示すように、周囲を壁に囲まれた凹形状となっている。上部シンク１０２１の底面１０２１ａには第一の開口１０２２があり、前記第一の開口１０２２は吸水口の役割を持っている。底面１０２１ａは第一の開口１０２２に向かって下り斜面となっている。
【００１０】
＊下部シンクの説明
図３は下部シンク１０３３とチーズプレート１０３１の関係、及び、下部シンク１０３３の構造について説明する図である。下部シンク１０３３はチーズプレート１０３１に覆われるように配置されており、本体１０２３に対してビス１０３２で固定される。下部シンク１０３３は図に示すように、周囲を壁に囲まれた凹形状となっており、下部シンク１０３３の底面には第二の開口１０３４があり、第二の開口は排水口としての役割を持っている。
【００１１】
＊ダクトとセンサーの説明
図４は前記第一の開口１０２２と前記第二の開口１０３４とを接続するヒートシンク兼ダクト１０４５と主たる熱源であるセンサー１０４１との関係を示している分解斜視図である。撮像するためのセンサー１０４１は、基板１０４８上に実装され、センサー１０４１を保持するセンサープレート１０４２と接着する。この時、基板１０４８とセンサープレート１０４２のセンサー背面は開口され、センサーパッケージの背面が露出する。
【００１２】
その露出部にセンサーヒートシンク１０４３を放熱ゴム１０４９で熱的に接続し、センサーヒートシンク１０４３とヒートシンク兼ダクト１０４５は放熱ゴム１０４４を介在して熱的に接続する。また、ヒートシンク兼ダクト１０４５は上部シンク１０２１、下部シンク１０３３の底面とも放熱ゴムを介在して熱的に接続する。また、ヒートシンク兼ダクト１０４５は前記第一の開口１０２２と接続する吸水口１０４６と前記第二の開口１０３４と接続する排水口１０４７を有している。
【００１３】
＊放熱経路の説明
図５はチーズプレート１０１２を取り外し、冷却された保冷材１０５１を上部シンク１０２１上に配置した状態の撮像装置１０１をレンズマウント１０１１の中心かつチーズプレート１０１２に対して垂直な面で切った断面図であり、断面部は斜線で示している。
【００１４】
センサー１０４１で発生した熱は放熱ゴム１０４９、センサーヒートシンク１０４３、ヒートシンク兼ダクト１０４５、、ヒートシンク兼ダクト１０４５、上部シンク１０２１の順に伝導するゆえに、上部シンク１０２１を保冷材１０５１で冷却するとセンサー１０４１を冷却することが可能となる。
【００１５】
＊結露水の流路説明 
図５に示すように、センサー１０４１がヒートシンク兼ダクト１０４５を介して冷却された保冷材が配置可能な上部シンク１０２１と下部シンク１０３３に熱的に接続された撮像装置において、上部シンク１０２１は吸水口である第一の開口１０２２を有し、下部シンク１０３３は排水口である第二の開口１０３４を有し、第一の開口１０２２は前記ヒートシンク兼ダクト１０４５内部空間を経由して第二の開口１０３４に接続する。
【００１６】
これにより、上部シンク１０２１に配置された保冷材１０５１から発生した結露水が、上部シンクの斜面により、第一の開口１０２２へ導かれ、その後、ヒートシンク兼ダクト１０４５を通過して、第二の開口１０３４から結露水が排出される。センサー１０４１で発生した熱は放熱ゴム１０４９、センサーヒートシンク１０４３、ヒートシンク兼ダクト１０４５、放熱ゴム１０４４、ヒートシンク兼ダクト１０４５と伝導されている。そのため結露水がヒートシンク兼ダクト１０４５内を流れる過程で、ヒートシンク兼ダクト１０４５の熱を奪う。その結果、結露水がセンサーを効率的に冷却する。
【００１７】
また、ヒートシンク兼ダクト１０４５はクランク部１０５２を有し、前記クランク部近傍にスポンジ状の吸水部材１０５３を配置することで、結露水を一時保管することが可能となり、結露水の補給が途切れてもしばらくの間、結露水の気化によりダクトの熱を奪い、結果としてセンサーの冷却が可能となる。
【００１８】
＊自然空冷時の流路説明
図６は撮像装置１０１をレンズマウント１０１１の中心かつチーズプレート１０１２に対して垂直な面で切った断面図であり、断面部は斜線で示している。
【００１９】
上部シンク１０２１に保冷材を配置しない場合、センサー１０４１の熱によって暖められたヒートシンク兼ダクト１０４５内の空気が矢印１０６６方向に移動し、自然空冷によりヒートシンク兼ダクト１０４５を冷却するため、この時、前記第二の開口１０３４は吸気口となり、前記第一の開口１０２２は排気口となる。また、前記チーズプレート１０１２，１０３１は複数貫通した穴１０６２、１０６３を有し、前記チーズプレート１０１２，１０３１と前記上部シンク底面と前記下部シンク底面は空隙１０６４，１０６５を持って配置される。
【００２０】
これにより、前記穴１０６２、１０６３と前記空隙１０６４，１０６５、吸気口、排気口が一つの空間として接続し自然空冷の通風経路となる。また、前記穴１０６２、１０６３はアクセサリを取り付けるための雌ネジが切ってある。また、空隙１０６４，１０６５により、上部シンク１０２１、下部シンク１０３３が熱くなっても、チーズプレート１０１２，１０３１は熱くなりにくい。これはユーザーの不快感低減に配慮した構成である。
【００２１】
＊効果説明
以上説明したように、本発明によれば、冷却された保冷材による一時冷却のみならず、冷却された保冷材から発生した結露水を熱源近傍まで導き二次的に冷却することが可能になり、高効率な冷却システムを提供可能となる。
【００２２】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００２３】
１０１‥‥撮像装置
１０１１‥‥レンズマウント
１０１２‥‥チーズプレート
１０１３‥‥表示部
１０１４‥‥外部操作部材
１０１５‥‥記憶媒体蓋
１０２１‥‥上部シンク
１０２１ａ‥‥底面
１０２２‥‥第一の開口
１０２３‥‥本体
１０２４‥‥ビス
１０３１‥‥チーズプレート
１０３２‥‥ビス
１０３３‥‥下部シンク
１０３４‥‥第二の開口
１０４１‥‥センサー
１０４２‥‥センサープレート
１０４３‥‥センサーヒートシンク
１０４４‥‥放熱ゴム
１０４５‥‥ヒートシンク兼ダクト
１０４６‥‥吸水口
１０４７‥‥排水口
１０４８‥‥基板
１０４９‥‥放熱ゴム
１０５１‥‥保冷材
１０５２‥‥クランク部
１０５３‥‥吸水部材
１０６２，１０６３‥‥穴
１０６４，１０６５‥‥空隙
１０６６‥‥矢印
【図１】
2019062488.tif 000003
【図２】
2019062488.tif 000004
【図３】
2019062488.tif 000005
【図４】
2019062488.tif 000006
【図５】
2019062488.tif 000007
【図６】
2019062488.tif 000008